(57)【要約】【課題】外部通信出力がない安価な汎用型線量計を用いて簡易に線量分布マップを作成する。【解決手段】携帯通信端末１０は、放射線量の計測装置の計測線量表示部をカメラ１１によって撮像して取得した撮像画像データ中から計測線量表示部内に表示されている計測値を特定する画像処理部２１と、カメラ１１による撮像画像データの取得時に現在位置取得部２２が取得した現在位置情報を計測装置の計測地点として特定する計測地点特定部２３と、画像処理部２１が特定した計測値と計測地点特定部２３が特定した計測地点とを対応付けたデータを作成する送信データ作成部２４と、送信データ作成部２４が作成したデータを通信網９０を介してホストコンピュータ５０に送信する通信部１３とを有し、ホストコンピュータ５０は、通信網７０を介して受信したデータを基に、地図上の計測地点に該計測地点に対応付けられている計測値を表示した線量分布マップを作成する。【選択図】図２
2013167480.tif 000002
【特許請求の範囲】
【請求項１】
携帯通信端末と情報管理装置とが通信網を介して通信可能に接続され前記情報管理装置によって情報を提供する情報提供システムであって、
前記携帯通信端末は、
撮像部と、
現在位置を取得する現在位置取得部と、
放射線量の計測装置の計測値表示部を前記撮像部によって撮像して取得した撮像画像データを画像処理して前記撮像画像データ中から前記計測値表示部内に表示されている計測値を検出する計測値検出部と、
前記撮像部による前記撮像画像データの取得時に前記現在位置取得部が取得した現在位置を前記計測装置の計測地点として特定する計測地点特定部と、
前記計測値検出部が検出した計測値と前記計測地点特定部が特定した前記計測地点とを対応付けたデータを作成するデータ作成部と、
前記データ作成部が作成したデータを前記通信網を介して前記情報管理装置に送信する送信部と、を有し、
前記情報管理装置は、
前記通信網を介して前記携帯通信端末から送信されてくるデータを受信する受信部と、
前記受信部が受信したデータを記憶する記憶部と、
前記記憶部に記憶されたデータを基に、地図上の前記計測地点に対応する位置に前記計測地点に対応付けられている前記計測値を表示した地図情報を作成する地図情報作成部と、
を有することを特徴とする情報提供システム。
【請求項２】
携帯通信端末と情報管理装置とが通信網を介して通信可能に接続され前記情報管理装置によって情報を提供する情報提供システムであって、
前記携帯通信端末は、
撮像部と、
前記携帯通信端末の現在位置情報を取得する現在位置取得部と、
放射線量の計測装置の計測値表示部を前記撮像部によって撮像して取得した撮像画像データと、前記撮像部による前記撮像画像データの取得時に前記現在位置取得部が取得した現在位置とを対応付けたデータを前記通信網を介して前記情報管理装置に送信する送信部と、を有し、
前記情報管理装置は、
前記通信網を介して前記携帯通信端末から送信されてくるデータを受信する受信部と、
前記受信部が受信したデータ内の撮像画像データを画像処理して前記撮像画像データ中から前記計測値表示部内に表示されている計測値を検出する計測値検出部と、
前記受信部が受信したデータ内の現在位置を前記計測装置の計測地点として特定する計測地点特定部と、
前記計測値検出部が検出した計測値と前記計測地点特定部が特定した前記計測地点とを対応付けたデータを記憶する記憶部と、
前記記憶部に記憶されたデータを基に、地図上の前記計測地点に対応する位置に前記計測地点に対応付けられている前記計測値を表示した地図情報を作成する地図情報作成部と、
を有することを特徴とする情報提供システム。
【請求項３】
情報管理装置と通信網を介して通信可能に接続される携帯通信端末であって、
撮像部と、
現在位置を取得する現在位置取得部と、
放射線量の計測装置の計測値表示部を前記撮像部によって撮像して取得した撮像画像データを画像処理して前記撮像画像データ中から前記計測値表示部内に表示されている計測値を検出する計測値検出部と、
前記撮像部による前記撮像画像データの取得時に前記現在位置取得部が取得した現在位置を前記計測装置の計測地点として特定する計測地点特定部と、
前記計測値検出部が検出した計測値と前記計測地点特定部が特定した前記計測地点とを対応付けたデータを作成するデータ作成部と、
前記データ作成部が作成したデータを前記通信網を介して前記情報管理装置に送信する送信部と、
を有することを特徴とする携帯通信端末。
【請求項４】
携帯通信端末と通信網を介して通信可能に接続される情報管理装置であって、
前記携帯通信端末は、撮像部及び該携帯通信端末の現在位置情報を取得する現在位置取得部を有し、放射線量の計測装置の計測値表示部を前記撮像部によって撮像して取得した撮像画像データと、前記撮像部による前記撮像画像データの取得時に前記現在位置取得部が取得した現在位置とを対応付けたデータを前記通信網に送信し、
前記通信網を介して前記携帯通信端末から送信されてくるデータを受信する受信部と、
前記受信部が受信したデータ内の撮像画像データを画像処理して前記撮像画像データ中から前記計測値表示部内に表示されている計測値を検出する計測値検出部と、
前記受信部が受信したデータ内の現在位置を前記計測装置の計測地点として特定する計測地点特定部と、
前記計測値検出部が検出した計測値と前記計測地点特定部が特定した前記計測地点とを対応付けたデータを記憶する記憶部と、
前記記憶部に記憶されたデータを基に、地図上の前記計測地点に対応する位置に前記計測地点に対応付けられている前記計測値を表示した地図情報を作成する地図情報作成部と、
を有することを特徴とする情報管理装置。
【発明の詳細な説明】
【技術分野】
【０００１】
本発明は、放射線量の情報を提供する技術に関する。
【背景技術】
【０００２】
線量計で計測した線量をその計測地点にマッピングした線量分布マップを提供することは、除線作業等に有効に利用されると考えられる。
【０００３】
ここで、そのような線量分布マップをサーバ等によって電子情報化して提供するには、線量計は、線量の計測データとその計測位置とをデータ化し、それらを外部通信出力が必要である（例えば特許文献１参照）。
【先行技術文献】
【特許文献】
【０００４】
【特許文献１】特開平８−３３４５６３号公報
【発明の概要】
【発明が解決しようとする課題】
【０００５】
しかしながら、一般的に、外部通信出力を有する線量計は高価で希少である。そのため、例えば、そのような線量計で計測した線量を基に除線作業を行おうとすれば、除線作業の原価が上げる一因になる。
【０００６】
一方、外部通信出力を有さない安価な汎用型線量計を用いて線量分布マップを作成することも可能ではあるが、次のような不便さを有する。
（１）汎用型線量計で計測した場所が後で分からなくなる可能性がある。
（２）汎用型線量計では計測値が表示されるだけで記録として残らない。
（３）汎用型線量計の計測値を手書き等で野帳等に記載する必要がある。
（４）記録に用いた野帳等も放射性廃棄物になりうる。場合によっては、折角の記録が現場から外に持ち出せない可能性もある。
（５）計測値の集計作業後、地図等にマッピング結果を表示するのが手作業となり非常に時間がかかる。
【０００７】
ここで、（２）及び（３）は、外部通信出力を有さないが高価な線量計を用いれば解消され得るが、（１）乃至（５）の全てを解消し得る機種は存在しない。
【０００８】
本発明の目的は、外部通信出力を有さない安価な汎用型線量計を用いて簡易に線量分布マップを作成することである。
【課題を解決するための手段】
【０００９】
前記課題を解決するために、（１）本発明の一態様では、携帯通信端末と情報管理装置とが通信網を介して通信可能に接続され前記情報管理装置によって情報を提供する情報提供システムであって、前記携帯通信端末は、撮像部と、現在位置を取得する現在位置取得部と、放射線量の計測装置の計測値表示部を前記撮像部によって撮像して取得した撮像画像データを画像処理して前記撮像画像データ中から前記計測値表示部内に表示されている計測値を検出する計測値検出部と、前記撮像部による前記撮像画像データの取得時に前記現在位置取得部が取得した現在位置を前記計測装置の計測地点として特定する計測地点特定部と、前記計測値検出部が検出した計測値と前記計測地点特定部が特定した前記計測地点とを対応付けたデータを作成するデータ作成部と、前記データ作成部が作成したデータを前記通信網を介して前記情報管理装置に送信する送信部と、を有し、前記情報管理装置は、前記通信網を介して前記携帯通信端末から送信されてくるデータを受信する受信部と、
前記受信部が受信したデータを記憶する記憶部と、前記記憶部に記憶されたデータを基に、地図上の前記計測地点に対応する位置に前記計測地点に対応付けられている前記計測値を表示した地図情報を作成する地図情報作成部と、を有することを特徴とする情報提供システムを提供できる。
【００１０】
（２）本発明の一態様では、携帯通信端末と情報管理装置とが通信網を介して通信可能に接続され前記情報管理装置によって情報を提供する情報提供システムであって、前記携帯通信端末は、撮像部と、前記携帯通信端末の現在位置情報を取得する現在位置取得部と、放射線量の計測装置の計測値表示部を前記撮像部によって撮像して取得した撮像画像データと、前記撮像部による前記撮像画像データの取得時に前記現在位置取得部が取得した現在位置とを対応付けたデータを前記通信網を介して前記情報管理装置に送信する送信部と、を有し、前記情報管理装置は、前記通信網を介して前記携帯通信端末から送信されてくるデータを受信する受信部と、前記受信部が受信したデータ内の撮像画像データを画像処理して前記撮像画像データ中から前記計測値表示部内に表示されている計測値を検出する計測値検出部と、前記受信部が受信したデータ内の現在位置を前記計測装置の計測地点として特定する計測地点特定部と、前記計測値検出部が検出した計測値と前記計測地点特定部が特定した前記計測地点とを対応付けたデータを記憶する記憶部と、前記記憶部に記憶されたデータを基に、地図上の前記計測地点に対応する位置に前記計測地点に対応付けられている前記計測値を表示した地図情報を作成する地図情報作成部と、を有することを特徴とする情報提供システムを提供できる。
【００１１】
（３）本発明の一態様では、情報管理装置と通信網を介して通信可能に接続される携帯通信端末であって、撮像部と、現在位置を取得する現在位置取得部と、放射線量の計測装置の計測値表示部を前記撮像部によって撮像して取得した撮像画像データを画像処理して前記撮像画像データ中から前記計測値表示部内に表示されている計測値を検出する計測値検出部と、前記撮像部による前記撮像画像データの取得時に前記現在位置取得部が取得した現在位置を前記計測装置の計測地点として特定する計測地点特定部と、前記計測値検出部が検出した計測値と前記計測地点特定部が特定した前記計測地点とを対応付けたデータを作成するデータ作成部と、前記データ作成部が作成したデータを前記通信網を介して前記情報管理装置に送信する送信部と、を有することを特徴とする携帯通信端末を提供できる。
【００１２】
ここで、前記情報管理装置は、前記送信部により送信され前記通信網を介して受信した前記データを記憶部に記憶し、前記記憶部に記憶されたデータを基に、地図上の前記計測地点に対応する位置に前記計測地点に対応付けられている前記計測値を表示した地図情報を作成する。
【００１３】
（４）本発明の一態様では、携帯通信端末と通信網を介して通信可能に接続される情報管理装置であって、前記携帯通信端末は、撮像部及び該携帯通信端末の現在位置情報を取得する現在位置取得部を有し、放射線量の計測装置の計測値表示部を前記撮像部によって撮像して取得した撮像画像データと、前記撮像部による前記撮像画像データの取得時に前記現在位置取得部が取得した現在位置とを対応付けたデータを前記通信網に送信し、前記通信網を介して前記携帯通信端末から送信されてくるデータを受信する受信部と、前記受信部が受信したデータ内の撮像画像データを画像処理して前記撮像画像データ中から前記計測値表示部内に表示されている計測値を検出する計測値検出部と、前記受信部が受信したデータ内の現在位置を前記計測装置の計測地点として特定する計測地点特定部と、前記計測値検出部が検出した計測値と前記計測地点特定部が特定した前記計測地点とを対応付けたデータを記憶する記憶部と、前記記憶部に記憶されたデータを基に、地図上の前記計測地点に対応する位置に前記計測地点に対応付けられている前記計測値を表示した地図情報を作成する地図情報作成部と、を有することを特徴とする情報管理装置を提供できる。
【００１４】
ここで、（１）乃至（４）の態様の発明において、例えば、現在位置取得部は、携帯通信端末が内蔵する現在位置計測用装置（例えば内蔵型ＧＰＳ（Global Positioning System）受信機）又は高精度で現在位置の取得を可能にする、携帯通信端末に対し外付けとなる現在位置計測用装置（例えば外付型高精度ＧＰＳ受信機）からの情報を基に携帯通信端末の現在位置を取得する。
【発明の効果】
【００１５】
本発明によれば、外部通信出力を有さない安価な汎用型線量計、並びに撮像部及び現在位置取得部を有する携帯通信端末によって線量の計測値を表示した地図情報を作成でき、外部通信出力を有さない安価な汎用型線量計を用いて簡易に線量分布マップを作成できる。
【００１６】
また、本発明によれば、外付けとなる高精度計測が可能な現在位置計測用装置によって取得した携帯通信端末の現在位置を用いた場合、高い位置精度で線量の計測値を表示した地図情報を作成できる。
【図面の簡単な説明】
【００１７】
【図１】本実施形態の放射線量のマッピングシステムの構成例を示す図である。
【図２】携帯通信端末の構成例を示すブロック図である。
【図３】ホストコンピュータの構成例を示すブロック図である。
【図４】線量分布マップの例を示す図である。
【図５】本実施形態の変形例におけるホストコンピュータの構成例を示す図である。
【発明を実施するための形態】
【００１８】
本発明の実施形態を図面を参照しつつ説明する。
【００１９】
本実施形態は、情報提供システムを構成する放射線量マッピングシステムである。
（構成）
図１は、放射線量マッピングシステム１の構成例を示す図である。
【００２０】
図１に示すように、放射線量マッピングシステム１は、複数の携帯通信端末１０と、ホストコンピュータ（又はサーバ）５０とを有している。そして、図１に示すように、放射線量マッピングシステム１では、携帯通信端末１０とホストコンピュータ５０とがインターネット等の通信網９０を介して通信可能に接続されている。
【００２１】
そして、放射線量マッピングシステム１では、携帯通信端末１０によって線量計１００の計測線量表示部１０１を撮像することを前提としている。
【００２２】
線量計１００は、放射線の線量を測定する機器であり、放射線の量に比例して検出器が物理的に変化するような物理的原理を用いたものである。例えば、線量計としては、ガラス線量計やフリッケ線量計などは古くから知られている。
【００２３】
本実施形態では、線量計１００は、少なくとも計測した線量を表示する計測線量表示部１０１があるが、外部通信出力（通信機能）を有さないような安価な汎用型タイプのものである。
【００２４】
一方、携帯通信端末１０は、ホストコンピュータ５０との間で通信可能な端末である。例えば、携帯通信端末１０として、携帯電話、パーソナルコンピュータの機能をベースとして作られた小型の略平板形状の携帯電話であるスマートフォン、タッチパネル式などで表示部及び入力部を有する略平板形状で携帯可能なパーソナルコンピュータであるいわゆるタブレットパソコン等がある。
【００２５】
図２は、携帯通信端末１０の構成例を示すブロック図である。
【００２６】
図２に示すように、携帯通信端末１０は、カメラ１１、ＧＰＳ受信機１２、演算部２０、及び通信部１３を有している。
【００２７】
ここで、演算部２０は、携帯通信端末１０に関し各種処理を行う。演算部２０は、例えば、マイクロコンピュータ及びその周辺回路を備える。例えば、演算部２０は、ＣＰＵ、ＲＯＭ、ＲＡＭ等によって構成されている。そして、ＲＯＭには、各種処理を実現する１又は２以上のプログラムが格納されている。ＣＰＵは、ＲＯＭに格納されている１又は２以上のプログラムに従って各種処理を実行する。
【００２８】
本実施形態では、演算部２０は、画像処理部２１、現在位置取得部２２、計測地点特定部２３、及び送信データ作成部２４を有している。
【００２９】
ここで、画像処理部２１は、画像データを画像処理する。現在位置取得部２２は、高精度の位置計測が可能な外付けの高精度ＧＰＳ受信機（外付型高精度ＧＰＳ受信機）１４又は内蔵するＧＰＳ受信機（内蔵型ＧＰＳ受信機）１２がＧＰＳ衛星１１０から受信した信号を基に現在位置を取得する。計測地点特定部２３は、現在位置取得部２２が取得した現在位置から計測地点を特定する。送信データ作成部２４は、送信データを作成する。通信部１３は、ホストコンピュータ５０との間で通信網９０を介して通信を行う。この通信部１３は、このようにホストコンピュータ５０等とデータ通信を行う他に、高精度ＧＰＳ受信機１４ともデータ通信も行う。これによって、現在位置取得部２２は、高精度ＧＰＳ受信機１４からのデータを基に前述のように現在位置（高精度の現在位置情報）を取得する。
【００３０】
このような構成において、具体的には、携帯通信端末１０が使用者によって線量データ取得モード等のような線量数値を取得するための特定のモードが選択されている状態でカメラ１１による撮像がなされると、画像処理部２１は、その撮像画像データ中から線量計１００の計測線量表示部１０１を特定する。さらに、画像処理部２１は、その計測線量表示部１０１に表示されている数値（以下、線量計測値という。）を特定する。一方、計測地点特定部２３は、現在位置取得部２２が取得した現在位置のうちカメラ１１による撮像時の現在位置を計測地点として特定する。そして、送信データ作成部２４は、画像処理部２１が特定した線量計測値と計測地点特定部２３が特定した計測地点とを対応付ける。それから、通信部１３は、送信データ作成部２４が対応づけたデータ（線量計測値＋計測地点）を通信網９０を介してホストコンピュータ５０に送信する。
【００３１】
ここで、例えば、画像処理部２１、現在位置取得部２２、及び送信データ作成部２４は、携帯通信端末１０がＷｅｂサイトからダウンロードしたアプリケーションプログラムに沿って前述のような処理を実行している。
【００３２】
ホストコンピュータ５０は、種々の情報を管理し処理を行う。本実施形態では、ホストコンピュータ５０は、携帯通信端末１０の送信データを基に種々の処理を行う。
【００３３】
図３は、ホストコンピュータ５０の構成例を示すブロック図である。
【００３４】
図３に示すように、ホストコンピュータ５０は、演算部６０、記憶部７０、及び通信部５１を有している。
【００３５】
演算部６０は、ホストコンピュータ５０に関し各種処理を行う。演算部６０は、例えば、マイクロコンピュータ及びその周辺回路を備える。例えば、演算部６０は、ＣＰＵ、ＲＯＭ、ＲＡＭ等によって構成されている。そして、ＲＯＭには、各種処理を実現する１又は２以上のプログラムが格納されている。ＣＰＵは、ＲＯＭに格納されている１又は２以上のプログラムに従って各種処理を実行する。
【００３６】
本実施形態では、演算部６０は、線量分布マップ作成部６１を有している。線量分布マップ作成部６１は、線量分布マップ７２を作成し、作成した線量分布マップ７２を記憶部７０に記憶する。記憶部７０は、大容量の記憶部、例えばＨＤＤ（Hard disk drive）である。通信部５１は、携帯通信端末１０との間で通信網９０を介して通信を行う。
【００３７】
このような構成において、具体的には、通信部５１は、携帯通信端末１０からのデータを通信網９０を介して受信すると、そのデータ７１を記憶部７０に記憶する。そして、線量分布マップ作成部６１は、記憶部７０に記憶されている受信データ７１を基に線量分布マップ７２を作成する。具体的には、線量分布マップ作成部６１は、受信データ７１内の計測地点に対応する地図上の位置に受信データ７１内で該計測地点に対応付けられている線量計測値をマッピングした線量分布マップ７２を作成する。地図上に分布を示す方法は種々あるが、線量分布マップ作成部６１は、例えば、色の濃さによってマッピング位置の線量計測値の大きさを示す線量分布マップ７２を作成する。そして、線量分布マップ作成部６１は、作成した線量分布マップ７２を記憶部７０に記憶する。
（動作、作用等）
次に、放射線量マッピングシステム１における動作、作用等を説明する。
【００３８】
放射線量マッピングシステム１では、携帯通信端末１０は、線量データ取得モードが選択されている状態でカメラ１１によって線量計１００の計測線量表示部１０１（例えば図１に点線で示す範囲Ｒ）を撮像すると、その撮像画像データを画像処理して計測線量表示部１０１に表示されている線量計測値を特定する。そして、携帯通信端末１０は、特定した線量計測値とＧＰＳによって取得した線量計１００による計測地点とを対応付け、対応付けたデータ（線量計測値＋計測地点）をホストコンピュータ５０に送信する。
【００３９】
ホストコンピュータ５０では、携帯通信端末１０からのデータを受信すると、そのデータ７１を記憶部７０に記憶するとともに、そのデータ７１を基に線量分布マップ７２を作成（更新）する。そして、ホストコンピュータ５０は、作成（更新）した線量分布マップ７２を記憶部７０に記憶する。
【００４０】
ここで、放射線量マッピングシステム１では、図１に示すように、全国の各地域に分散している複数の携帯通信端末１０からのデータが通信網９０を介してホストコンピュータ５０に送信されており、ホストコンピュータ５０は、受信したそれらデータに基づいて線量分布マップ７２を作成し記憶部７０に記憶している。
【００４１】
これにより、ホストコンピュータ５０は、広く一般から集めたデータを基に線量分布マップ７２を作成できるとともに、図１に示すように、そのように作成した線量分布マップ７２を通信網９０を介して広く一般に公開することもできるようになる。
【００４２】
図４は、線量分布マップの表示例を示す図である。
【００４３】
図４（ａ）は線量分布マップを作成する前の元地図であり、図４（ｂ）は線量分布マップである。
【００４４】
図４（ｂ）に示すように、線量分布マップは、色の濃度によって線量計測値が地図上にマッピングされている。例えば、線量分布マップでは、色が濃いほど線量計測値が大きいことを示す。
【００４５】
以上のような放射線量マッピングシステム１では、例えば、撮像画像データ及び現在位置情報を基に線量計測値と計測地点とを特定し、その特定した線量計測値と計測地点とを対応付けてホストコンピュータ５０に送信するこれらの処理を行う携帯通信端末１０の機能を、携帯通信端末１０にインストール可能なアプリケーションプログラムによって実現しても良い。この場合、インターネット上で各種のアプリケーションプログラムを提供するＡｐｐＳｔｏｒｅ等のＷｅｂサイトにおいて前述のような処理を行うアプリケーションプログラムを提供することで、外部通信出力を有さない安価な汎用型線量計１００及び携帯通信端末１０さえ有していれば、広く一般から線量分布マップの作成に必要になる線量計測値及び計測地点を収集することができるようになる。
【００４６】
以上のように、本実施形態では、外部通信出力を有さない安価な汎用型線量計１００、並びにカメラ１１及びＧＰＳを利用した現在位置取得部２２を有する携帯通信端末によって簡易に線量分布マップを作成できる。
【００４７】
これにより、例えば、本実施形態では、携帯通信端末１０による簡単なカメラ撮影の操作だけとなるため、防護服、全面マスク等を着用したままで操作ができる。また、本実施形態では、線量の計測結果を残すために紙等を使用しないため、放射性廃棄物等の発生を抑えることができる。
（本実施形態の変形例）
【００４８】
本実施形態では、携帯通信端末１０側で線量計測値及び計測地点を特定し、それらを対応付けているが、同等な処理をホストコンピュータ５０側で行うこともできる。
【００４９】
図５は、線量計測値及び計測地点を特定可能なホストコンピュータ５０の構成例を示す図である。
【００５０】
ここで、その前提として、携帯通信端末１０は、カメラ１１によって撮像して取得した撮像画像データとその撮像画像データの取得時に現在位置取得部２２が取得した現在位置情報とを対応付けたデータを通信網９０を介してホストコンピュータ５０に送信する。
【００５１】
このような携帯通信端末１０の処理に対応して、図５に示すように、ホストコンピュータ５０は、画像処理部６２、及び計測地点特定部６３をさらに有している。このような構成のホストコンピュータ５０は、通信網９０を介して携帯通信端末１０から送信され通信部５１によって受信したデータ７３を記憶部７０に記憶する。そして、ホストコンピュータ５０は、画像処理部６２がその受信データ７３内の撮像画像データを画像処理して線量計１００の計測線量表示部１０１内に表示されている線量計測値を特定する。さらに、ホストコンピュータ５０は、計測地点特定部６３がそのデータ７３内の線量計測値に対応する現在位置情報を計測装置の計測地点として特定する。そして、ホストコンピュータ５０は、特定した線量計測値と計測地点とを対応付けたデータ７４を作成して記憶部７０に記憶するとともに、作成データ７４内の計測地点に対応する地図上の位置に作成データ７４内で該計測地点に対応付けられている線量計測値をマッピングした線量分布マップ７２を作成（更新）する。
【００５２】
また、本発明の実施形態を具体的に説明したが、本発明の範囲は、図示され記載された例示的な実施形態に限定されるものではなく、本発明が目的とするものと均等な効果をもたらすすべての実施形態をも含む。さらに、本発明の範囲は、請求項１により画される発明の特徴の組み合わせに限定されるものではなく、すべての開示されたそれぞれの特徴のうち特定の特徴のあらゆる所望する組み合わせによって画されうる。
【符号の説明】
【００５３】
１  放射線量マッピングシステム、１０  携帯通信端末、１１  カメラ、１２  ＧＰＳ受信機（内蔵型ＧＰＳ受信機）、１３  通信部、１４  高精度ＧＰＳ受信機（外付型高精度ＧＰＳ受信機）、２０  演算部、２１  画像処理部、２２  現在位置取得部、２３  計測地点特定部、２４  送信データ作成部、５０  ホストコンピュータ、５１  通信部、６０  演算部、６１  線量分布マップ作成部、６２  画像処理部、６３  計測地点特定部、７０  記憶部、７２  線量分布マップ、９０  通信網、１００  線量計、１０１  計測線量表示部
【図１】
2013167480.tif 000003
【図２】
2013167480.tif 000004
【図３】
2013167480.tif 000005
【図４】
2013167480.tif 000006
【図５】
2013167480.tif 000007